(57)【要約】【課題】倒伏した穀稈を引き起こし、穀稈をオーガ装置に効率良く移送できるコンバインの刈取前処理装置を提供する。【解決手段】分草装置（６０）を、オーガ装置（３０）のオーガフレーム（３１）の側壁（３１Ａ）の上側に配置し、側面視において、分草装置（６０）の穀稈作用面である前面（６１Ａ）を後上がり傾斜に形成し、分草装置（６０）の穀稈作用面であり、且つ前面（６１Ａ）の後端部に連なる後面（６１Ｂ）を、前面（６１Ａ）よりも緩やかな後上がり傾斜に形成することにより解決される。【選択図】図１
2016220565.tif 000002
【特許請求の範囲】
【請求項１】
刈取穀稈と非刈取穀稈に分離する分草体（１０）と、該分草体（１０）によって分離された刈取穀稈を後側に移送する分草装置（６０）と、該分草装置（６０）によって移送された刈取穀稈の下部を切断する刈刃装置（４０）と、該刈刃装置（４０）よって切断された刈取穀稈を寄せ集めるオーガ装置（３０）を備えるコンバインの刈取前処理装置において、
前記分草装置（６０）を、前記オーガ装置（３０）のオーガフレーム（３１）の側壁（３１Ａ）の上側に配置し、
側面視において、前記分草装置（６０）の穀稈作用面である前面（６１Ａ）を後上がり傾斜に形成し、前記分草装置（６０）の穀稈作用面であり、且つ前記前面（６１Ａ）の後端部に連なる後面（６１Ｂ）を、前記前面（６１Ａ）よりも緩やかな後上がり傾斜に形成したことを特徴とするコンバインの刈取前処理装置。
【請求項２】
側面視において、前記前面（６１Ａ）を、前記側壁（３１Ａ）の上面（３３）よりも急な後上がり傾斜に形成し、前記後面（６１Ｂ）を、前記側壁（３１Ａ）の上面（３３）よりも緩やかな後上がり傾斜に形成した請求項１記載のコンバインの刈取前処理装置。
【請求項３】
側面視において、前記前面（６１Ａ）の前部を、前記分草体（１０）の後側に近接して設け、前記後面（６１Ｂ）の後部を、前記刈刃装置（４０）よりも後方に設けた請求項１又は２記載のコンバインの刈取前処理装置。
【請求項４】
前記分草装置（６０）の穀稈非作用面である下面（６１Ｃ）を開口し、前記側壁（３１Ａ）の上面（３３）に近接して設けた請求項１〜３のいずれか１項に記載のコンバインの刈取前処理装置。
【発明の詳細な説明】
【技術分野】
【０００１】
本発明は、分草装置を備えるコンバインの刈取前処理装置に係るものである。
【背景技術】
【０００２】
従来のコンバインの刈取前処理装置には、未刈取側の分草体の後側に分草体によって分離された刈取穀稈をオーガ装置に移送する分草装置が設けられている。
【先行技術文献】
【特許文献】
【０００３】
【特許文献１】特開平４−３２５０２５号公報
【発明の概要】
【発明が解決しようとする課題】
【０００４】
しかし、従来のコンバインの刈取前処理装置の分草装置は、穀稈作用面をオーガ装置の未刈取側の側壁に沿って前部から後部に向かって一様に後上がり傾斜に形成されているために、倒伏状態にある穀稈を確実に引き起こすことができず移送効率が低下する虞があった。また、分草装置による穀稈の移送中に脱落してオーガ装置への穀稈の回収効率が低下する虞があった。
そこで、本発明の主たる課題は、かかる問題点を解消することにある。
【課題を解決するための手段】
【０００５】
上記課題を解決した本発明は次記のとおりである。
請求項１に係る発明は、刈取穀稈と非刈取穀稈に分離する分草体（１０）と、該分草体（１０）によって分離された刈取穀稈を後側に移送する分草装置（６０）と、該分草装置（６０）によって移送された刈取穀稈の下部を切断する刈刃装置（４０）と、該刈刃装置（４０）よって切断された刈取穀稈を寄せ集めるオーガ装置（３０）を備えるコンバインの刈取前処理装置において、
前記分草装置（６０）を、前記オーガ装置（３０）のオーガフレーム（３１）の側壁（３１Ａ）の上側に配置し、側面視において、前記分草装置（６０）の穀稈作用面である前面（６１Ａ）を後上がり傾斜に形成し、前記分草装置（６０）の穀稈作用面であり、且つ前記前面（６１Ａ）の後端部に連なる後面（６１Ｂ）を、前記前面（６１Ａ）よりも緩やかな後上がり傾斜に形成したことを特徴とするコンバインの刈取前処理装置である。
【０００６】
請求項２に係る発明は、側面視において、前記前面（６１Ａ）を、前記側壁（３１Ａ）の上面（３３）よりも急な後上がり傾斜に形成し、前記後面（６１Ｂ）を、前記側壁（３１Ａ）の上面（３３）よりも緩やかな後上がり傾斜に形成した請求項１記載のコンバインの刈取前処理装置である。
【０００７】
請求項３に係る発明は、側面視において、前記前面（６１Ａ）の前部を、前記分草体（１０）の後側に近接して設け、前記後面（６１Ｂ）の後部を、前記刈刃装置（４０）よりも後方に設けた請求項１又は２記載のコンバインの刈取前処理装置である。
【０００８】
請求項４に係る発明は、前記分草装置（６０）の穀稈非作用面である下面（６１Ｃ）を開口し、前記側壁（３１Ａ）の上面（３３）に近接して設けた請求項１〜３のいずれか１項に記載のコンバインの刈取前処理装置である。
【発明の効果】
【０００９】
請求項１記載の発明によれば、分草装置（６０）を、オーガ装置（３０）のオーガフレーム（３１）の側壁（３１Ａ）の上側に配置し、側面視において、分草装置（６０）の穀稈作用面である前面（６１Ａ）を後上がり傾斜に形成し、分草装置（６０）の穀稈作用面であり、且つ前面（６１Ａ）の後端部に連なる後面（６１Ｂ）を、前面（６１Ａ）よりも緩やかな後上がり傾斜に形成しているので、分草装置（６０）の前面（６１Ａ）で倒伏した刈取穀稈を前面（６１Ａ）で引き起こし、分草装置（６０）の後面（６１Ｂ）に刈取穀稈を上載してオーガ装置（３０）に効率良く移送することができる。
【００１０】
請求項２記載の発明によれば、請求項１記載の発明による効果に加えて、側面視において、前面（６１Ａ）を、側壁（３１Ａ）の上面（３３）よりも急な後上がり傾斜に形成し、後面（６１Ｂ）を、側壁（３１Ａ）の上面（３３）よりも緩やかな後上がり傾斜に形成しているので、刈取穀稈をオーガ装置（３０）により効率良く移送することができる。
【００１１】
請求項３記載の発明によれば、請求項１または２記載の発明による効果に加えて、側面視において、前面（６１Ａ）の前部を、分草体（１０）の後側に近接して設け、後面（６１Ｂ）の後部を、刈刃装置（４０）よりも後方に設けているので、オーガ装置（３０）の外側に刈取穀稈が脱落することを防止して刈取穀稈の回収効率を高めることができる。
【００１２】
請求項４記載の発明によれば、請求項１〜３のいずれか１項に記載した発明の効果に加えて、分草装置（６０）の穀稈非作用面である下面（６１Ｃ）を開口し、側壁（３１Ａ）の上面（３３）に近接して設けているので、刈取穀稈に付着した粉塵が分草装置（６０）内に堆積するのを防止することができ、又、外部の粉塵が分草装置（６０）内に侵入するのを防止することができる。
【図面の簡単な説明】
【００１３】
【図１】コンバインの左側面図である。
【図２】コンバインの平面図である。
【図３】刈取前処理装置の要部平面図である。
【図４】掻込みオーガの正面図である。
【図５】他の分草装置を装着したコンバインの左側面図である。
【図６】他の分草装置を装着したコンバインの平面図である。
【発明を実施するための形態】
【００１４】
図１，２に示すように、コンバインは、機体フレーム１の下側には土壌面を走行するための左右一対のクローラからなる走行装置２が設けられ、機体フレーム１の上側には脱穀・選別を行なう脱穀装置３が設けられ、脱穀装置３の前側には圃場の穀稈を収穫する刈取前処理装置４が設けられている。脱穀装置３で脱穀・選別された穀粒は、脱穀装置３の右側に設けられたグレンタンク５に貯留され、貯留された穀粒は、揚穀筒と横送り筒を備える排出筒６によって外部へ排出される。また、グレンタンク５の前側には操縦者が搭乗する操縦部７が設けられている。
【００１５】
＜刈取前処理装置＞
次に、本発明の刈取前処理装置４について説明する。なお、理解を容易にするために便宜的に方向を示して説明しているが、これらにより構成が限定されるものではない。
【００１６】
刈取前処理装置４は、フィーダハウス２０と、オーガ装置３０と、刈刃装置４０と、掻込み装置５０と、分草装置６０を備えている。
【００１７】
（フィーダハウス）
フィーダハウス２０は、オーガ装置３０の左部に搬送された稲、麦、大豆、そば等の穀稈を脱穀装置３に移送する装置であり、オーガ装置３０と脱穀装置３の間に設けられている。
【００１８】
フィーダハウス２０の枠体２１の後部には、エンジンの回転が伝動される回転軸２２が横設され、枠体２１の前部には、従動軸２３が横設されている。また、回転軸２２に装着された一対のスプロケット２２Ａと従動軸２３に装着された一対のスプロケット２３Ａには、チェン２４がそれぞれ巻き掛けられており、左右一対のチェン２４には、所定の間隔を隔てて穀稈を搬送するプレート（図示省略）が加設されている。
【００１９】
（オーガ装置）
図３，４に示すように、オーガ装置３０は、掻込み装置５０で掻込まれた穀稈等をオーガ装置３０の左部に寄せ集めてフィーダハウス２０に移送する装置であり、フィーダハウス２０の前側に設けられ、コンバインの左右方向の幅とほぼ同一幅に形成されている。
【００２０】
オーガ装置３０は、オーガフレーム３１と、オーガフレーム３１に横設された掻込みオーガ３５を備えている。オーガフレーム３１は、左壁（請求項における「側壁」）３１Ａと、右壁３１Ｂと、左壁３１Ａと右壁３１Ｂの後部を連結する後壁３１Ｃと、左壁３１Ａと右壁３１Ｂの後下部を連結する下壁３１Ｄから略バケット形状に形成されている。また、後壁３１Ｃの左部には、フィーダハウス２０に穀稈を移送する移送口３２が開口されている。
【００２１】
側面視において、左壁３１Ａと右壁３１Ｂの上面３３は、後上がり傾斜に形成されており、左壁３１Ａと右壁３１Ｂの下面３４は、上面３３と略平行に後上がり傾斜した後、刈刃装置４０の上側の位置から後側に向かって略水平に延在した後、掻込みオーガ３５の下側の位置から略円弧状に形成されている。
【００２２】
掻込みオーガ３５は、オーガフレーム３１の左壁３１Ａと右壁３１Ｂに回転自在に架設される回転軸３６と、回転軸３６に支持される円筒形状の筒体３７を備えている。筒体３７の外周面の左部には、掻込み装置５０で掻込まれた穀稈等を送込口３２の前側に寄せ集める向きに傾斜させた搬送螺旋３７Ａが固定され、筒体３７の外周面の右部における送込口３２の前側の部位には、複数の掻込みフィンガ３８が出没自在する出没口３７Ｂが開口されている。
【００２３】
フィーダハウス２０の従動軸２３のスプロケット２３Ａに伝動されたエンジンの回転は、チェン（図示省略）を介して回転軸３６の左端部に装着されたスプロケット３６Ａに伝動され、掻込みオーガ３５を回転させる。
【００２４】
（刈刃装置）
刈刃装置４０は、掻込み装置５０によってオーガ装置３０内に掻込まれた穀稈や、分草装置６０によってオーガ装置３０内に分草された穀稈等の株元を切断する装置であり、オーガフレーム３１の下壁３１Ｄの前端部に設けられている。
【００２５】
刈刃装置４０は、刃幅が狭く刃長が長いフィンガ状の固定刃４１と、刃幅が広く刃長が短い三角形状の可動刃４２から構成されている。また、可動刃４２は、固定刃４１の後部に固定された刈刃プレート４３と固定刃４１の間に形成された溝を左右方向に摺動する。これにより、多くの穀稈の株元を保持することができ、効率良く穀稈の株元を切断することができる。
【００２６】
フィーダハウス２０の従動軸２３のスプロケット２３Ａに伝動されたエンジンの回転は、変換装置（図示省略）等を介して刈刃装置４０の可動刃４２に伝動され、可動刃４２を左右方向に移動させる。
【００２７】
（掻込み装置）
図１，２に示すように、掻込み装置５０は、倒伏した穀稈、大豆やそば等の丈の低い穀稈、油菜や菜の花等の丈の高い穀稈をオーガ装置３０に掻込む装置であり、オーガ装置３０の上側に設けられ、オーガ装置３０の左右方向の幅とほぼ同一幅に形成されている。      
【００２８】
掻込み装置５０は、掻込みリール５１と、掻込みリール５１を上下に移動させる左右一対のリールアーム５２を備えている。リールアーム５２の後部は、オーガフレーム３１の後壁３１Ｃに回転自在に固定され、リールアーム５２の中間部には、リールアーム５２を上下方向に移動させる油圧シリンダ等の昇降装置５３が連結され、リールアーム５２の前部には、掻込みリール５１を装着する回転軸５４が架設されている。
【００２９】
側面視において、掻込みリール５１は、略六角形状に形成されており、六箇所の各隅部には、タイン支持杆５５が設けられ、タイン支持杆５５には、左右方向に所定間隔を隔てて複数のリールタイン５６が吊下げられている。
【００３０】
フィーダハウス２０の従動軸２３に装着されたスプロケット２３Ａに伝動されたエンジンの回転は、オーガフレーム３１の後壁３１Ｃに設けられた左右方向に延在する回転軸５７等を介して回転軸５４の右端部に装着されたスプロケット（図示省略）に伝動され、掻込みリール５１を回転させる。
【００３１】
（分草装置）
図１，２に示すように、分草装置６０は、分草体１０によって分草された穀稈を起立させてオーガ装置３０に移送する装置であり、側面視において、分草装置６０は、略三角形状に形成されている。
【００３２】
分草体１０は、オーガフレーム３１の左壁３１Ａと右壁３１Ｂの下部から前側に向かって左側フレーム１１Ａと右側フレーム１１Ｂの前端部にそれぞれ固定されている。分草装置６０は、分草ケース６１と、チェン６２と、チェン６２を巻き掛ける前スプロケット６３Ａと、中間スプロケット６３Ｂと、後スプロケット６３Ｃを備えている。また、チェン６２には、所定の間隔を隔ててラグ６４が設けられている。
【００３３】
分草ケース６１の前部は、左側フレーム１１Ａにおける分草体１０の後側に近接して着脱自在に固定され、分草ケース６１の後部は、オーガ装置３０の回転軸３６から前上がり傾斜して延在する支持フレーム６５の前部に着脱自在に固定されている。
【００３４】
側面視において、分草ケース６１の前部から中間部の間の前面６１Ａは、後上がり傾斜に形成され、中間部から後部の間の上面（請求項における「後面」）６１Ｂは、前面６１Ａの後上がり傾斜よりも緩やかな後上がり傾斜に形成されている。これにより、分草体１０によって分草された穀稈のオーガ装置３０の前側での詰まりを防止して、穀稈を効率良くオーガ装置３０に移送することができる。また、側面視において、分草ケース６１の中間部は、掻込み装置５０の回転軸５４よりも前側に位置させ、分草ケース６１の後部は、掻込み装置５０を昇降させる昇降装置５３よりも前側に位置させている。
【００３５】
側面視において、分草ケース６１の前部から後部の間の下面６１Ｃは、オーガフレーム３１の左壁３１Ａの上面３３の後上がり傾斜と略平行に形成され、下面６１Ｃは、開口されている。これにより、ラグ６４によって搬送される穀稈に付着した粉塵等の分草ケース６１内での堆積を防止して、分草ケース６１の作動不良を防止することができる。なお、分草ケース６１の前部から中間部の間の前面６１Ａの後上がり傾斜、オーガフレーム３１の左壁３１Ａの上面３３の後上がり傾斜、中間部から後部の間の上面６１Ｂの後上がり傾斜の順に緩く後上がり傾斜に形成されている。
【００３６】
分草ケース６１の前部の内側には、前スプロケット６３Ａが回転自在に支持され、分草ケース６１の中間部の内側には、中間スプロケット６３Ｂが回転自在に支持され、分草ケース６１の後部の内側には、後スプロケット６３Ｃが回転自在に支持されている。また、ラグ６４は、前スプロケット６３Ａの近傍に設けられた起立手段（図示省略）によって起立させられて分草ケース６１の穀稈作用面である前面６１Ａと上面６１Ｂを後側に向かって移動し、後スプロケット６３Ｃの近傍に設けられた倒伏手段（図示省略）によって倒伏させられて分草ケース６１の穀稈非作用面である下面６１Ｃを前側に向かって移動する。
【００３７】
オーガ装置３０の回転軸３６に装着されたスプロケット３６Ａに伝動されたエンジンの回転は、チェン（図示省略）等を介して分草ケース６１の後部に回転自在に支持された後スプロケット６３Ｃに伝動され、複数のラグ６４が設けられたチェン６２を回転させる。
【００３８】
（他の分草装置）
次に、他の分草装置７０について説明する。図５，６に示すように、分草装置７０は、分草ケース７１と、チェン７２と、チェン７２を巻き掛ける前スプロケット７３Ａと、後スプロケット７３Ｃを備えている。また、チェン７２には、所定の間隔を隔ててラグ７４が設けられている。
【００３９】
分草ケース７１の前部は、左側フレーム１１Ａにおける分草体１０の後側に近接して着脱自在に固定され、分草ケース７１の後部は、オーガ装置３０の回転軸３６から下降時における掻込み装置５０の回転軸５７の前側に向かって前上がり傾斜して延在する支持フレーム７５の前部に着脱自在に固定されている。
【００４０】
側面視において、分草ケース７１の前部から後部の間の上面７１Ｂは、急な後上がり傾斜に形成され、同様に、分草ケース７１の前部から後部の間の下面７１Ｃは、上面７１Ｂと平行に急な後上がり傾斜に形成され、下面６１Ｃは、開口されている。これにより、分草体１０によって分草された穀稈のオーガ装置３０の前側での詰まりを防止して、穀稈を効率良くオーガ装置３０に移送することができる。
【００４１】
分草ケース１の前部の内側には、前スプロケット７３Ａが回転自在に支持され、分草ケース６１の後部の内側には、後スプロケット７３Ｃが回転自在に支持されている。また、ラグ７４は、前スプロケット７３Ａの近傍に設けられた起立手段（図示省略）によって起立させられて分草ケース７１の穀稈作用面である上面７１Ｂを上側に向かって移動し、後スプロケット７３Ｃの近傍に設けられた倒伏手段（図示省略）によって倒伏させられて分草ケース７１の穀稈非作用面である下面７１Ｃを下側に向かって移動する。
【００４２】
オーガ装置３０の回転軸３６に装着されたスプロケット３６Ａに伝動されたエンジンの回転は、チェン（図示省略）等を介して分草ケース７１の後部に回転自在に支持された後スプロケット７３Ｃに伝動され、複数のラグ６４が設けられたチェン６２を回転させる。
【００４３】
また、分草ケース７１の前部を、左側フレーム１１Ａに回転自在に固定し、分草ケース７１の後部を固定する支持フレーム７５を伸縮自在な構成として、分草ケース７１の後上がり傾斜の傾斜角度や分草ケース７１の後部を前部に対して左右方向に偏倚させる構成とすることも可能である。これによって、穀稈の種類、状態によって分草装置７０を好適な姿勢に変更することができる。
【産業上の利用可能性】
【００４４】
本発明は、汎用コンバインの刈取前処理装置に利用できるものである。
【符号の説明】
【００４５】
１０      分草体
３０      オーガ装置
３１      オーガフレーム
３１Ａ    左壁（側壁）
３３      上面
４０      刈刃装置
６０      分草装置
６１Ａ    前面
６１Ｂ    上面（後面）
６１Ｃ    下面
【図１】
2016220565.tif 000003
【図２】
2016220565.tif 000004
【図３】
2016220565.tif 000005
【図４】
2016220565.tif 000006
【図５】
2016220565.tif 000007
【図６】
2016220565.tif 000008